(57)【要約】      （修正有）【課題】搖動を長い時間継続させることが可能であり、したがって、単位時間あたりの搖動振幅の減少を人にほとんど感じさせることなく、あたかも永久に搖動が継続してるような印象を与えることができる装身具を提供する。【解決手段】装身具は、振動モータ５を設けた基体１と、基体に一端が支持された線状体２と、線状体の他端に固定された装飾物３と、基体の線状体が固定された部位と略対抗する位置に固定された磁石４とを備え、装飾品に強磁性体が設けられたことを特徴とする。【選択図】図１
0003203511.tif 000002
【実用新案登録請求の範囲】
【請求項１】
基体と、
前記基体に一端が支持された線状体と、
前記線状体の他端に固定された装飾物と、
前記基体の前記線状体が支持された部位と略対抗する位置に固定された磁石と、
を備え、
前記装飾物に強磁性体が設けられた
ことを特徴とする装身具。
【請求項２】
基体と、
前記基体内に張られた状態で支持された線状体と、
前記線状体に固定された装飾物と、
前記基体に固定された磁石と、
を備え、
前記装飾物に強磁性体が設けられた
ことを特徴とする装身具。
【請求項３】
上記線状体は、ねじれた際に元に戻る強いトルクを発生する
ことを特徴とする請求項２に記載の装身具。
【請求項４】
上記磁石が上記強磁性体に及ぼす磁力と、
上記強磁性体の大きさと、
上記線状体がねじれた際に元に戻るトルクと、
により、
上記装飾物の揺動状態を調整する
ことを特徴とする請求項１から３のいずれかに記載の装身具。
【請求項５】
上記基体が、上記装飾物を取り囲み、且つ上記装飾物の厚みより大きい厚みを持つ
ことを特徴とする請求項１から４のいずれかに記載の装身具。
【請求項６】
上記強磁性体は、軟磁性体である
ことを特徴とする請求項１から５のいずれかに記載の装身具。
【請求項７】
上記基体に振動モータを設けた
ことを特徴とする請求項１から６のいずれかに記載の装身具。
【請求項８】
請求項１から６のいずれかに記載の装身具と、
振動モータを設けた振動部と、
上記振動部から上記装身具を吊るすための線状体と
を備えたことを特徴とする装身具セット。
【考案の詳細な説明】
【技術分野】
【０００１】
本考案は、宝石等の装飾物を揺動可能に設けた装身具に関するものである。
【背景技術】
【０００２】
宝石や金銀等の装飾品は、光を反射することで輝き、見る人を魅了する。そして、装飾品が揺動することで、その輝きに微妙な変化が生じ、さらに美しさが増すため、装飾品が揺動しやすいようにした装身具が提案されている。
【０００３】
例えば、宝石に少なくとも１つの貫通孔が形成され、貫通孔に挿通されると共に装飾具本体に連結されて宝石を装飾具本体に揺動可能に支持する連結部を備えることで、宝石が揺動する装身具が提案されている（例えば、特許文献１）。
【０００４】
また、ダイヤモンド等が揺動するように、ダイヤモンド等を回転可能に２点で支持するフレームを設けた装身具が提案されている（例えば、特許文献２）。
【先行技術文献】
【特許文献】
【０００５】
【特許文献１】特開２００７−６１３３６号
【特許文献２】特許５４２４４３５号
【考案の概要】
【考案が解決しようとする課題】
【０００６】
上述の特許文献１および２で提案されている装身具においては、宝石あるいは宝石を支持した装飾体を揺動させるため、軸体を回転軸としていた。そのため、宝石等と軸体とに大きな接触抵抗が生じるので、搖動の振幅が短時間で減少し、搖動を長い時間継続させることが困難であった。また、装身具が装着者の服に当ることで、揺動が止まってしまうという問題もあった。
【０００７】
本考案は上記の問題を解決するためになされたものであり、搖動を長い時間継続させることが可能であり、したがって、単位時間あたりの搖動振幅の減少を人にほとんど感じさせることなく、あたかも永久に搖動が継続しているような印象を与えることができる装身具を提供するものである。
【０００８】
また、宝石等が中空に浮いて搖動しているような不思議な印象を人に与えることが可能な装身具を提供するものである。
さらに、適切な駆動機構を設けることで、実際に搖動を永久的に継続させることができる装身具を提供するものである。
【課題を解決するための手段】
【０００９】
本考案の請求項１に係る装身具は、基体と、前記基体に一端が支持された線状体と、前記線状体の他端に固定された装飾物と、前記基体の前記線状体が支持された部位と略対抗する位置に固定された磁石とを備え、前記装飾物に強磁性体が設けられたことを特徴とする。
【００１０】
本考案の請求項２に係る装身具は、基体と、前記基体内に張られた状態で支持された線状体と、前記線状体に固定された装飾物と、前記基体に固定された磁石とを備え、前記装飾物に強磁性体が設けられたことを特徴とする。
【００１１】
本考案の請求項３に係る装身具は、上記線状体が、ねじれた際に元に戻る強いトルクを発生することを特徴とする。
【００１２】
本考案の請求項４に係る装身具は、上記磁石が上記強磁性体に及ぼす磁力と、上記強磁性体の大きさと、上記線状体がねじれた際に元に戻るトルクとにより、上記装飾物の揺動状態を調整することを特徴とする。
【００１３】
本考案の請求項５に係る装身具は、上記基体が、上記装飾物を取り囲み、且つ上記装飾物の厚みより大きい厚みを持つことを特徴とする。
【００１４】
本考案の請求項６に係る装身具は、上記強磁性体は、軟磁性体であることを特徴とする。
【００１５】
本考案の請求項７に係る装身具は、上記基体に振動モータを設けたことを特徴とする。
【００１６】
本考案の請求項８に係る装身具セットは、上記のいずれかの装身具と、
振動モータを設けた振動部と、
上記振動部から上記装身具を吊るすための線状体とを備えたことを特徴とする。
【考案の効果】
【００１７】
近年においては、市販された装飾物を型どおりに身に付けるだけではなく、様々な工夫により、それぞれの個性を主張することが一般に行われるようになった。装飾物を揺動するように身に付けることは、そういった工夫のひとつと考えられるが、これまでは、装飾物を揺動させることは、誰もが簡単に行えることではなかった。また、装着者が長く静止しているような場合、揺動の振幅が減少し、短時間で揺動が停止してしまうという問題があった。
本考案は、以上のようなニーズに応えるべく、また、問題を解決するために、考えられたものである。
【００１８】
本考案の装身具は、装飾物の揺動の際に、ほとんど抵抗が生じないため、長時間に渡り揺動を継続させることができる。揺動の振幅の減衰は非常に緩やかであるため、あたかも永久に揺動が継続しているように、見る人に感じさせることができる。また、揺動の状態を調整することができる。
【００１９】
また、線状体を視認できない程度の細いものとすることで、装飾物が基体とは非接触に、あたかも空中に浮いているように見せることも可能である。あるいは、線状体を視認できる程度の太さとすれば、基体を傾けたり、逆さにしても、線状体は常に磁石方向に伸びているので、装飾物があたかも重力の影響を受けていないかのように、見る人に感じさせることができる。
このように、見る人に意外感や不思議な感覚を与えることで、装飾物をより魅惑的、幻想的に見せることができる。
【００２０】
また、従来の装身具の揺動装置には、装飾物をネックレスとして用いる場合、装飾物が装着者の服に触れて揺動が停止してしまうという問題があった。本考案では、基体が装飾物を取り囲む構造である時、基体を装飾物の厚みより大きい厚みとすることで、この問題を解決することができる。すなわち、基体を装飾物の厚みより大きい厚みとすれば、基体が装着者の服に触れても、装飾物は服に触れることはないため、揺動を継続せることが可能である。
【００２１】
線状体の一端を基体に支持するのではなく、両端を基体内に張る状態で支持することで、磁石の配置の自由度が増し、例えば、小さな装飾物であっても、安定な揺動を実現できる。
さらに、振動モータを設ければ、周期的な振動により、装飾物の揺動の振幅減少を抑制し、半永久的に揺動を継続させることができる。本考案の構成においては、装飾物の重量は軽量であり、また装飾物の回転揺動に伴う抵抗は非常に小さいため、振動モーターが発生する振動のエネルギーは小さくても良く、したがって、電池寿命を長くすることが可能となる。あるいは、電池や振動モーター本体を小型化できるため、基体に目立たなく固定、あるいは埋め込むことも容易となる。さらに、振動音を最小にすることもできるので、静かな場所においても使用することができる。
【図面の簡単な説明】
【００２２】
【図１】本考案に係る装身具の（ａ）前面図と（ｂ）側面図である。
【図２】本考案に係る装身具の背面図である。
【図３】本考案の実施の形態２に係る装身具の背面図である。
【図４】本考案の実施の形態２に係る装身具の背面図であり、異なる磁石配置のものである。
【図５】本考案の実施の形態３に係る装身具セットの前面図である。
【考案を実施するための形態】
【００２３】
本考案の装身具について、以下の実施に形態において、構成、使用方法および特長等を説明する。
なお、以下の説明は本考案に関する良好な一例を開示するものであり、本考案が各実施の形態に限定されるものではない。例えば、各実施の形態において開示する考案品の形状や構造等は、良好な一例を示すに過ぎず、その他の可能性を否定するものでは無い。
【００２４】
実施の形態１．
本考案に係る装身具は、宝石や金銀等に細工を施した装飾物本体を揺動可能にした装身具であり、特にネックレス、ブローチ、ピアス、イヤリング、ブレスレット等への使用に適したものであるが、他の種の装飾物にも本考案を適用することは勿論可能である。
＜基本構成＞
まず、装身具の構成について、図１および図２を用いて説明する。
【００２５】
図１は、装身具を構成する部品の（ａ）前面図と（ｂ）側面図である。また、図２は、背面図である。
装身具は、基体１と、基体１に一端が支持された線状体２と、線状体２の他端に固定された装飾物３と、基体１の線状体２が支持された部位と略対抗する位置に固定された磁石４とを備えており、また、図２に示すように、装飾物３に強磁性体３ａが設けられている。
【００２６】
ここで、基体１は金属や樹脂等で形成され、内部に装飾物３を保持する空間を有するものであり、線条体の一端を支持し、磁石を固定する構造を有する。基体１の構造は、図１に示すような環状体に限るものではなく、例えば、コの字形状のものであっても良い。また、基体１は、装飾物３の厚みより幅広い部材を用いて、幅広の構造としても良い。すなわち、図１（ｂ）の側面図に示すように、側面から装飾物３が見えないような幅広の構造体としてもよい。
【００２７】
線状体２は、離れた位置からでは視認することが難しいような非常に細いものであってもよいし、視認できる程度の太さを有していても良い。また、チェーンのように細かな部品が連結され、全体として線状構造に見えるものでも良い。さらに、多少引っ張っても切れない程度の強度を有していることが望ましい。そして、容易にねじれが生じやすいものや、容易に線条体を軸とした回転ができるように基体に支持されたものが良い。
線状体２の一端は、図１（ａ）の前面図に示すように、その一端が基体１に支持されている。支持方法は、どのような方法であっても良い。すなわち、基体に線条体を固定しても良いし、線条体を軸とした線条体の回転ができるように基体に支持する方法でも良い。固定する場合は、接着や溶着であっても良いし、基体１に小さな穴を開けて、そこに線状体２を通して結んで固定しても良い。また、線条体２を回転させる場合は、基体１に穴を開けて線条体を通し、基体１の穴より大きく、基体１とは固定されていない球状物や平板などに線条体２を固定する方法でも良い。
【００２８】
装飾物３は、宝石や金銀等に細工を施した物である。装飾物３は線状体２の他端に固定されている。この固定方法は、十分な固定強度を確保できるのであれば、どのような方法であっても良い。
装飾物３の裏面には、強磁性体３ａが貼着等の方法により設けられている。強磁性体３ａは、比較的小さな磁界にたいしても大きな磁気モーメントを生じる軟磁性体が望ましい。
【００２９】
磁石４は永久磁石が望ましいが、電磁石であっても良く、磁力を発生できるものであれば良い。
磁石４は、基体１の線状体２が支持された部位と略対抗する位置に固定されている。
磁石４の磁化方向は、図１に示すように、基体１に沿った方向が望ましいが、その他の方向であっても良い。
【００３０】
＜動作＞
次に、この装身具の動作について、図２を用いて説明する。
磁石４から発生する磁界により、強磁性体３ａは磁化され、磁気モーメントを生じる。磁石４の磁気モーメントと、強磁性体３ａの磁気モーメントとは、図２に示すように、Ｓ極とＮ極が対向した位置になるため、図２に示す状態を維持するように、お互いに強く引き合う。
【００３１】
したがって、装飾物３は磁石４方向に引っ張られ、糸状体２は、磁石４方向に向かってピーンと貼られた状態になる。希土類系等の磁気モーメントの大きな磁石を用いる等により、磁石４と強磁性体３ａとが強く引き合うようにすれば、基体１をどのような方向に向けても、この状態を維持することができる。
装飾物３が非常に重い物でなければ、装飾物３に働く重力よりも十分大きな磁力を作り出すことは、極めて容易である。
【００３２】
装飾物３は磁石４方向に引っ張られていると同時に、線状体２を回転軸とした回転方向にも磁力による制限を受けている。磁石４と強磁性体３ａ間に働く磁力は、図２のように、Ｓ極とＮ極が対向した位置になる場合が最も強く、この位置から、時計回り、あるいは反時計回りのいずれの方向に装飾物３が回転しても、磁力は弱くなる。すなわち、図２の位置関係が、磁石４と強磁性体３ａにとって最も安定となる。したがって、図２の位置から、装飾物３が回転すると、図２の位置関係に戻す力が生じるため、図２の位置関係を中心とした揺動が生じることになる。
【００３３】
この図２の位置関係に戻す力は、磁石４が強磁性体３ａに及ぼす磁力、強磁性体３ａの大きさが大きいほど強くなる。また、形態２においては、さらに、線条体２が基体１に固定されている場合には、線状体２がねじれた際に強い元に戻るトルクが大きいほど、この力は強くなる。これらの力が不均衡であると、装飾物３の揺動が不安定になって、回転して裏を向いてしまったりすることがある。すなわち、磁石４が強磁性体３ａに及ぼす磁力、強磁性体３ａの大きさ、また後述する実施の形態２においては、さらに線状体２０がねじれた際に元に戻る強いトルクを調整することで、装飾物の大きさや重量に応じて、揺動状態を調節し、適切な揺動状態を得ることが可能になる。
【００３４】
線状体２は容易にねじれが生じやすいか、回転が可能なため抵抗はほとんど生じず、装飾物３の回転に伴う抵抗は、空気抵抗が主であり、極めて小さな抵抗であるため、一度生じた揺動は短時間で減衰することなく、長時間継続する。また、抵抗が小さいため、非常になめらかな揺動となる。
【００３５】
＜付加的な構成＞
上記で説明した構成に加えて、リング１ａを基体に設けても良い。リング１ａを設けることで、チェーン等により、装身具を首に掛けたりすることが可能となる。
【００３６】
また、振動モーター５を基体１に固定しても良い。振動モーター５は電池により駆動するモーターであり、周期的な振動を発生させることで、装飾物３の揺動の振幅減少を抑制し、半永久的に揺動を継続させることができる。一般に、装飾物の重量は軽量であり、かつ、装飾物３の回転に伴う抵抗も非常に小さいため、振動モーター５が発生する振動のエネルギーは小さくても良く、したがって、電池寿命を長くすることが可能となる。
【００３７】
磁石４や振動モータ５は、基体１の内部に設けても良い。例えば、基体１に磁石４と同じ形状の穴を開け、その穴に磁石４を埋め込むように配置しても良い。磁石の場合、表面に錆び等が生じやすいため、磁石４を埋め込むように配置し、磁石４表面にカバーやポリマー被覆等を施せば、磁石４表面の劣化を防止できると同時に、外部から磁石４が視認できず、装身具としての美しさを保つことができる。
振動モータ５に関しても、基体１に埋め込むように配置した方が、スッキリとした形状の装身具が実現できる。さらに、振動モータ５の発生する振動エネルギーをより効率良く、基体１に伝達することができる。
【００３８】
実施の形態２．
本実施の形態における装身具は、図３に示すように、実施の形態１における装身具の線状体２の代わりに、線状体２０を設けたものであり、その他の構成は同様である。
線状体２０は、基体１の内部に張られる状態で支持され、線状体２０に装飾物３が固定されている。
【００３９】
このような構成においても、実施の形態１と同様に、減衰の小さな揺動を生じさせることが可能である。
なお、この構成においては、磁石の固定位置をより自由に設計することが可能である。例えば、図４のように、基体１の両サイドに磁石４０を配しても、同様の動作を実現できる。磁石の固定位置の自由度が広がると、例えば、装飾物３が小さなものであっても、安定した揺動を実現できる。装飾物３が小さなものである場合、強磁性体３ａも小さくなるので、磁石４と強磁性体３ａ間に働く磁力が小さくなり、揺動動作が不安定になりやすい。例えば、装飾物３が揺動ではなく、回転して裏を向くといったことが生じる。しかし、一例であるが、図４のように両サイドに磁石４０を配することで、磁石４０と強磁性体３ａ間に働く磁力をより大きくし、安定な揺動を実現することができる。
【００４０】
また、糸状体２０を、ねじれた際に元に戻る強いトルクを発生する材質から構成することでも、揺動動作を安定化できる。
【００４１】
実施の形態３．
本実施の形態における装身具セットは、図４に示すように、実施の形態１や２で示した装身具に、振動モータ５０を備えた振動部６と、振動部６から装身具を吊るすための線状体７を加えたものである。振動部６には、実施の形態１におけるリング１ａと同様に、リング６ａを設けても良い。
【００４２】
このように、振動部６から装身具を吊るすことで、振動部に備えた振動モーター５０の振動を、線状体７を介して装身具に伝達することが可能であり、装飾物３の揺動を減衰なく継続させることができる。
【００４３】
＜本考案の特長＞
近年においては、市販された装飾物を型どおりに身に付けるだけではなく、様々な工夫により、それぞれの個性を主張することが一般に行われるようになった。装飾物を揺動するように身に付けることは、そういった工夫のひとつと考えられるが、これまでは、装飾物を揺動させることは、誰もが簡単に行えることではなかった。また、装着者が長く静止しているような場合、揺動の振幅が減少し、短時間で揺動が停止してしまうという問題があった。
本考案は、以上のようなニーズに応えるべく、また、問題を解決するために、考えられたものである。
【００４４】
本考案の装身具は、装飾物の揺動の際に、ほとんど抵抗が生じないため、長時間に渡り揺動を継続させることができる。揺動の振幅の減衰は非常に緩やかであるため、あたかも永久に揺動が継続しているように、見る人に感じさせることができる。また、揺動の状態を調整することができる。
【００４５】
また、線状体を視認できない程度の細いものとすることで、装飾物が基体とは非接触に、あたかも空中に浮いているように見せることも可能である。あるいは、線状体を視認できる程度の太さとすれば、基体を傾けたり、逆さにしても、線状体は常に磁石方向に伸びているので、装飾物があたかも重力の影響を受けていないかのように、見る人に感じさせることができる。
このように、見る人に意外感や不思議な感覚を与えることで、装飾物をより魅惑的、幻想的に見せることができる。
【００４６】
また、従来の装身具の揺動装置には、装飾物をネックレスとして用いる場合、装飾物が装着者の服に触れて揺動が停止してしまうという問題があった。本考案では、基体が装飾物を取り囲む構造である時、基体を装飾物の厚みより大きい厚みとすることで、この問題を解決することができる。すなわち、基体を装飾物の厚みより大きい厚みとすれば、基体が装着者の服に触れても、装飾物は服に触れることはないため、揺動を継続せることが可能である。
【００４７】
線状体の一端を基体に支持するのではなく、両端を基体内に張る状態で支持することで、磁石の配置の自由度が増し、例えば、小さな装飾物であっても、安定な揺動を実現できる。
さらに、振動モータを設ければ、周期的な振動により、装飾物の揺動の振幅減少を抑制し、半永久的に揺動を継続させることができる。本考案の構成においては、装飾物の重量は軽量であり、また装飾物の回転揺動に伴う抵抗は非常に小さいため、振動モーターが発生する振動のエネルギーは小さくても良く、したがって、電池寿命を長くすることが可能となる。あるいは、電池や振動モーター本体を小型化できるため、基体に目立たなく固定、あるいは埋め込むことも容易となる。さらに、振動音を最小にすることもできるので、静かな場所においても使用することができる。
【符号の説明】
【００４８】
１  基体
２、２０  線状体
３  装飾物
３ａ  強磁性体
４、４０  磁石
５、５０  振動モーター
６  振動部
７  線状体
【図１】
0003203511.tif 000003
【図２】
0003203511.tif 000004
【図３】
0003203511.tif 000005
【図４】
0003203511.tif 000006
【図５】
0003203511.tif 000007